(57)【要約】  無線基地局ｅＮＢが、複数のセグメントを繰り返し送信する際に、複数のセグメントのサイズ又は複数のセグメントを送信するサブフレームを変更した場合、その旨を示す変更通知を複数の移動局ＵＥに対して送信し、移動局ＵＥが、複数のセグメントの一部だけの受信に失敗した場合であっても、変更通知を受信した場合には、複数のセグメントの全てについて再度受信する。
2009038129.tif 000002
【特許請求の範囲】
【請求項１】
無線基地局が、報知情報を複数のセグメントに分割して、複数の移動局に対して、複数のサブフレームを用いて該複数のセグメントを繰り返し送信する報知情報送信方法であって、
前記無線基地局が、前記複数のセグメントを繰り返し送信する際に、該複数のセグメントによって構成される前記報知情報の内容、該複数のセグメントのサイズ又は該複数のセグメントを送信するサブフレームを変更した場合、その旨を示す変更通知を前記複数の移動局に対して送信する工程と、
前記移動局が、前記複数のセグメントの一部だけの受信に失敗した場合であっても、前記変更通知を受信した場合には、該複数のセグメントの全てについて再度受信する工程とを有することを特徴とする報知情報送信方法。
【請求項２】
報知情報を複数のセグメントに分割して、複数の移動局に対して、複数のサブフレームを用いて該複数のセグメントを繰り返し送信するように構成されている無線基地局であって、
前記複数のセグメントを繰り返し送信する際に、該複数のセグメントによって構成される前記報知情報の内容、該複数のセグメントのサイズ又は該複数のセグメントを送信するサブフレームを変更した場合、その旨を示す変更通知を前記複数の移動局に対して送信するように構成されている変更通知部を具備することを特徴とする無線基地局。
【請求項３】
前記変更通知部は、前記複数の移動局宛てのページング信号を送信するタイミングで、ページング信号用無線ネットワーク識別子を含む制御チャネルによって、ページング信号を通知する共有データチャネルのスケジューリング情報を送信し、該スケジューリング情報によって特定される無線リソースで送信される前記共有データチャネルによって、前記ページング信号と共に、前記変更通知を送信するように構成されていることを特徴とする請求項２に記載の無線基地局。
【請求項４】
前記変更通知部は、前記複数の移動局宛てのページング信号を送信するタイミングで、ページング信号用無線ネットワーク識別子を含む特別のフォーマットの制御チャネルによって、ページング信号を通知する共有データチャネルのスケジューリング情報と共に、前記変更通知を送信するように構成されていることを特徴とする請求項２に記載の無線基地局。
【請求項５】
前記変更通知部は、前記複数の移動局宛てのページング信号を送信するタイミングで、ページング信号用無線ネットワーク識別子とは異なる変更通知用無線ネットワーク識別子を含む制御チャネルによって、前記変更通知を通知する共有データチャネルのスケジューリング情報を送信し、該スケジューリング情報によって特定される無線リソースで送信される前記共有データチャネルによって、前記変更通知を送信するように構成されていることを特徴とする請求項２に記載の無線基地局。
【請求項６】
前記変更通知部は、前記複数の移動局宛てのページング信号を送信するタイミングで、ページング信号用無線ネットワーク識別子とは異なる変更通知用無線ネットワーク識別子を含む制御チャネルによって、前記変更通知を送信するように構成されていることを特徴とする請求項２に記載の無線基地局。
【請求項７】
前記複数のセグメントのサイズ又は該複数のセグメントを送信するサブフレームが変更された際に送信される前記変更通知は、該複数のセグメントによって構成される前記報知情報の内容が変更された場合に送信される前記変更通知とは異なることを特徴とする請求項２乃至６のいずれか一項に記載の無線基地局。
【請求項８】
無線基地局から、複数のサブフレームを用いて、報知情報を分割することによって得られた複数のセグメントを繰り返し受信するように構成されている移動局であって、
前記無線基地局から、前記複数のセグメントを繰り返し送信する際に、該複数のセグメントのサイズ又は該複数のセグメントを送信するサブフレームを変更した旨を示す変更通知を受信するように構成されている変更通知受信部と、
前記複数のセグメントの一部だけの受信に失敗した場合であっても、前記変更通知受信部によって前記変更通知を受信した場合には、該複数のセグメントの全てについて再度受信するように構成されているセグメント受信部を具備することを特徴とする移動局。
【請求項９】
前記セグメント受信部は、前記変更通知受信部によって前記変更通知を受信していない場合には、前記複数のセグメントの一部だけの受信に失敗した場合に、該複数のセグメントの一部だけについて再度受信するように構成されていることを特徴とする請求項８に記載の移動局。
【請求項１０】
前記変更通知は、前記報知情報の内容が変更された場合に送信される変更通知とは異なることを特徴とする請求項８又は９に記載の移動局。
【請求項１１】
前記セグメント受信部は、前記移動局の状態又は該移動局によってサポートされている能力に対応する前記報知情報を構成する前記複数のセグメントについて、該複数のセグメントの一部だけの受信に失敗した場合であっても、前記変更通知受信部によって前記変更通知を受信した場合に、全て再度受信するように構成されていることを特徴とする請求項８乃至１０のいずれか一項に記載の移動局。
【発明の詳細な説明】
【技術分野】
【０００１】
本発明は、無線基地局が、報知情報を複数のセグメントに分割して、複数の移動局に対して、複数のサブフレームを用いて該複数のセグメントを繰り返し送信する報知情報送信方法、無線基地局及び移動局に関する。
【背景技術】
【０００２】
図８及び図９を参照して、ＬＴＥ（Ｌｏｎｇ  Ｔｅｒｍ  Ｅｖｏｌｕｔｉｏｎ）方式の移動通信システムにおいて、無線基地局ｅＮＢが、報知情報（ＢＣＣＨ：Ｂｒｏａｄｃａｓｔ  Ｃｏｎｔｒｏｌ  Ｃｈａｎｎｅｌ）を複数のセグメント（ＳＵ：Ｓｃｈｅｄｕｌｉｎｇ  Ｕｎｉｔ）に分割して、複数の移動局ＵＥに対して、複数のサブフレームを用いて当該複数のセグメントを繰り返し送信する動作（報知情報送信方法）について説明する。【０００３】
図８に示すように、ＢＣＣＨ（報知情報）は、ＢＣＨ（Ｂｒｏａｄｃａｓｔ  Ｃｈａｎｎｅｌ）及びＰＤＳＣＨ（Ｐｈｙｓｉｃａｌ  Ｄｏｗｎｌｉｎｋ  Ｃｏｎｔｒｏｌ  Ｃｈａｎｎｅｌ）にマッピングされて送信されることができる。【０００４】
無線基地局ｅＮＢは、各無線フレーム内の先頭のサブフレーム（サブフレーム＃０）において、各セルにおける帯域幅の中央における６つの無線リソースブロック（ＲＢ：Ｒｅｓｏｕｒｃｅ  Ｂｌｏｃｋ）を用いて、複数の移動局ＵＥに対して、４回、繰り返して、ＢＣＨを送信するように構成されている。【０００５】
ここで、無線基地局ｅＮＢは、ＢＣＨによって、物理層パラメータ（セル帯域幅等）や、システムフレーム番号（ＳＦＮ：Ｓｙｓｔｅｍ  Ｆｒａｍｅ  Ｎｕｍｂｅｒ）や、Ｖａｌｕｅ  Ｔａｇ等の基本的な情報を報知するように構成されている。【０００６】
また、無線基地局ｅＮＢは、所定のサブフレーム（例えば、サブフレーム＃５）において、ＢＣＨにマッピングされていない報知情報（ＢＣＣＨ）を含むＳＵ-１を、ＰＤＳＣＨ（Ｐｈｙｓｉｃａｌ  Ｄｏｗｎｌｉｎｋ  Ｓｈａｒｅｄ  Ｃｈａｎｎｅｌ）によって報知する。【０００７】
ここで、無線基地局ｅＮＢは、ＳＵ-１によって、ＳＵ-１以降のＳＵ（以下、他のＳＵ）のスケジューリング情報（例えば、当該他のＳＵのサイズや、当該他のＳＵが送信されるサブフレームや、当該他のＳＵが送信される周期等）を報知するように構成されている。【０００８】
また、無線基地局ｅＮＢは、ＳＵ-１によって指定されたスケジューリング情報に基づいて、他のＳＵを送信するように構成されている。【０００９】
また、図９に示すように、無線基地局ｅＮＢは、１ＴＴＩ（送信時間間隔：Ｔｒａｎｓｍｉｓｓｉｏｎ  Ｔｉｍｅ  Ｉｎｔｅｒｖａｌ）で、他のＳＵを送信することができない場合、当該他のＳＵを、複数のセグメント＃１乃至＃３に分割して、Ｗｉｎｄｏｗ内のサブフレームにおいて逐次報知されるように構成されている。【００１０】
例えば、図９に示すように、Ｗｉｎｄｏｗ内のサブフレーム＃Ｘ、＃Ｘ＋１、＃Ｘ＋ｎにおいて報知するように構成されている。【００１１】
しかしながら、従来のＬＴＥ方式の移動通信システムでは、無線基地局ｅＮＢは、複数のセグメント＃１乃至＃３を繰り返し送信する際に、当該複数のセグメント＃１乃至＃３がマッピングされるサブフレームや、当該複数のセグメントのサイズ（他のＳＵのセグメンテーション方法）を変更することができる。【００１２】
したがって、移動局ＵＥは、複数のセグメントの一部だけの受信に失敗した場合であっても、繰り返し送信された複数のセグメント＃１乃至＃３について、マッピングされるサブフレームやサイズが変更されている可能性があるため、受信に失敗したセグメントのみを受信することができないという問題点があった。
【非特許文献１】３ＧＰＰ  ＴＳ３６．３００，“Ｅ−ＵＴＲＡ  ａｎｄ  Ｅ−ＵＴＲＡＮ；  Ｏｖｅｒａｌｌ  ｄｅｓｃｒｉｐｔｉｏｎ；  Ｓｔａｇｅ  ２，”  ｖ８．１．０．
【非特許文献２】３ＧＰＰ  Ｒ２−０７３２３６，“Ｔｒａｎｓｍｉｓｓｉｏｎ  ｏｆ  ｄｙｎａｍｉｃ  ｓｙｓｔｅｍ  ｉｎｆｏｒｍａｔｉｏｎ，”  Ｅｒｉｃｓｓｏｎ．
【非特許文献３】３ＧＰＰ  Ｒ２−０７２６６０，“ＲＬＣ  ｍｏｄｅ  ｆｏｒ  ｓｙｓｔｅｍ  ｉｎｆｏｒｍａｔｉｏｎ  ｄｅｌｉｖｅｒｙ，”  Ｐａｎａｓｏｎｉｃ，  ＮＴＴ  ＤｏＣｏＭｏ．
【発明の開示】
【００１３】
そこで、本発明は、上述の課題に鑑みてなされたものであり、無線基地局が、複数の移動局に対して複数のサブフレームを用いて複数のセグメントを繰り返し送信する場合で、移動局が、複数のセグメントの一部だけの受信に失敗した場合に、効率的に、受信に失敗したセグメントのみを受信することができる報知情報送信方法、無線基地局及び移動局を提供することを目的とする。
【００１４】
本発明の第１の特徴は、無線基地局が、報知情報を複数のセグメントに分割して、複数の移動局に対して、複数のサブフレームを用いて該複数のセグメントを繰り返し送信する報知情報送信方法であって、前記無線基地局が、前記複数のセグメントを繰り返し送信する際に、該複数のセグメントによって構成される前記報知情報の内容、該複数のセグメントのサイズ又は該複数のセグメントを送信するサブフレームを変更した場合、その旨を示す変更通知を前記複数の移動局に対して送信する工程と、前記移動局が、前記複数のセグメントの一部だけの受信に失敗した場合であっても、前記変更通知を受信した場合には、該複数のセグメントの全てについて再度受信する工程とを有することを要旨とする。
【００１５】
本発明の第２の特徴は、報知情報を複数のセグメントに分割して、複数の移動局に対して、複数のサブフレームを用いて該複数のセグメントを繰り返し送信するように構成されている無線基地局であって、前記複数のセグメントを繰り返し送信する際に、該複数のセグメントによって構成される前記報知情報の内容、該複数のセグメントのサイズ又は該複数のセグメントを送信するサブフレームを変更した場合、その旨を示す変更通知を前記複数の移動局に対して送信するように構成されている変更通知部を具備することを要旨とする。
【００１６】
本発明の第２の特徴において、前記変更通知部は、前記複数の移動局宛てのページング信号を送信するタイミングで、ページング信号用無線ネットワーク識別子を含む制御チャネルによって、ページング信号を通知する共有データチャネルのスケジューリング情報を送信し、該スケジューリング情報によって特定される無線リソースで送信される前記共有データチャネルによって、前記ページング信号と共に、前記変更通知を送信するように構成されていてもよい。
【００１７】
本発明の第２の特徴において、前記変更通知部は、前記複数の移動局宛てのページング信号を送信するタイミングで、ページング信号用無線ネットワーク識別子を含む特別のフォーマットの制御チャネルによって、ページング信号を通知する共有データチャネルのスケジューリング情報と共に、前記変更通知を送信するように構成されていてもよい。
【００１８】
本発明の第２の特徴において、前記変更通知部は、前記複数の移動局宛てのページング信号を送信するタイミングで、ページング信号用無線ネットワーク識別子とは異なる変更通知用無線ネットワーク識別子を含む制御チャネルによって、前記変更通知を通知する共有データチャネルのスケジューリング情報を送信し、該スケジューリング情報によって特定される無線リソースで送信される前記共有データチャネルによって、前記変更通知を送信するように構成されていてもよい。
【００１９】
本発明の第２の特徴において、前記変更通知部は、前記複数の移動局宛てのページング信号を送信するタイミングで、ページング信号用無線ネットワーク識別子とは異なる変更通知用無線ネットワーク識別子を含む制御チャネルによって、前記変更通知を送信するように構成されていてもよい。
【００２０】
本発明の第２の特徴において、前記複数のセグメントのサイズ又は該複数のセグメントを送信するサブフレームが変更された際に送信される前記変更通知は、該複数のセグメントによって構成される前記報知情報の内容が変更された場合に送信される変更通知とは異なっていてもよい。
【００２１】
本発明の第３の特徴は、無線基地局から、複数のサブフレームを用いて、報知情報を分割することによって得られた複数のセグメントを繰り返し受信するように構成されている移動局であって、前記無線基地局から、前記複数のセグメントを繰り返し送信する際に、該複数のセグメントによって構成される前記報知情報の内容、該複数のセグメントのサイズ又は該複数のセグメントを送信するサブフレームを変更した旨を示す変更通知を受信するように構成されている変更通知受信部と、前記複数のセグメントの一部だけの受信に失敗した場合であっても、前記変更通知受信部によって前記変更通知を受信した場合には、該複数のセグメントの全てについて再度受信するように構成されているセグメント受信部を具備することを要旨とする。
【００２２】
本発明の第３の特徴において、前記セグメント受信部は、前記変更通知受信部によって前記変更通知を受信していない場合には、前記複数のセグメントの一部だけの受信に失敗した場合に、該複数のセグメントの一部だけについて再度受信するように構成されていてもよい。
【００２３】
本発明の第３の特徴において、前記複数のセグメントのサイズ又は該複数のセグメントを送信するサブフレームが変更された際に送信される前記変更通知は、該複数のセグメントによって構成される前記報知情報の内容が変更された場合に送信される変更通知とは異なっていてもよい。
【００２４】
本発明の第３の特徴において、前記セグメント受信部は、前記移動局の状態又は該移動局によってサポートされている能力に対応する前記報知情報を構成する前記複数のセグメントについて、該複数のセグメントの一部だけの受信に失敗した場合であっても、前記変更通知受信部によって前記変更通知を受信した場合に、全て再度受信するように構成されていてもよい。
【図面の簡単な説明】
【００２５】
【図１】本発明の第１の実施形態に係る移動通信システムの全体構成図である。
【図２】本発明の第１の実施形態に係る無線基地局の機能ブロック図である。
【図３】本発明の第１の実施形態に係る移動通信システムにおける変更通知の送信方法を説明するための図である。
【図４】本発明の第１の実施形態に係る移動局の機能ブロック図である。
【図５】本発明の第１の実施形態に係る移動局のプロトコルスタックを示す図である。
【図６】本発明の第１の実施形態に係る無線基地局の動作を示すフローチャートである。
【図７】本発明の第１の実施形態に係る移動局の動作を示すフローチャートである。
【図８】従来技術に係る移動通信システムにおける報知情報の送信方法について説明するための図である。
【図９】従来技術に係る移動通信システムにおけるＳＵ-２の送信方法について説明するための図である。
【発明を実施するための最良の形態】
【００２６】
（本発明の第１の実施形態に係る移動通信システムの構成）
図１乃至図５を参照して、本発明の第１の実施形態に係る移動通信システムの構成について説明する。なお、本実施形態では、ＬＴＥ方式の移動通信システムを例に挙げて説明するが、本発明は、かかる例に限定されるものではなく、他の任意の移動通信システムに適用することができる。【００２７】
図１に示すように、本実施形態に係る移動通信システムでは、無線基地局ｅＮＢが、ＢＣＣＨ（報知情報）を複数のセグメントに分割して、複数の移動局ＵＥ＃１乃至＃Ｎに対して、複数のサブフレームを用いて複数のセグメントを繰り返し送信するように構成されている。【００２８】
図２に示すように、本実施形態に係る無線基地局ｅＮＢは、ＢＣＨ送信部１１と、ＳＵ送信部１２と、変更通知部１３とを具備している。【００２９】
ＢＣＨ送信部１１は、上述の図８に示すように、ＢＣＣＨ（基本情報）がマッピングされたＢＣＨを送信するように構成されている。【００３０】
ＳＵ送信部１２は、上述の図８に示すように、ＰＤＳＣＨを介して、ＢＣＣＨ（基本情報以外）を含むＳＵ（ＳＵ-１/２/３等）を送信するように構成されている。【００３１】
具体的には、ＳＵ送信部１２は、各無線フレームのサブフレーム＃５において、ＰＤＳＣＨを介して、ＳＵ-１以降のＳＵ（以下、他のＳＵ）のスケジューリング情報を含むＳＵ-１を送信するように構成されている。【００３２】
そして、ＳＵ送信部１２は、ＳＵ-１によって指定された他のＳＵのスケジューリング情報（例えば、当該他のＳＵのサイズや、当該他のＳＵが送信されるサブフレームや、当該他のＳＵが送信される周期や、上述のＷｉｎｄｏｗのサイズ等）に基づいて、ＰＤＳＣＨを介して、他のＳＵを送信するように構成されている。【００３３】
なお、ＳＵ送信部１２は、１ＴＴＩにおいて、他のＳＵを送信することができない場合、かかる他のＳＵ（報知情報）を分割して、図９に示すＷｉｎｄｏｗ内のサブフレーム（無線リソースブロック）で、かかる複数のセグメントを送信するように構成されている。【００３４】
また、ＳＵ送信部１２は、所定の周期で、かかる複数のセグメントを繰り返し送信するように構成されている。かかる周期は、ＳＵ-１に含まれる他のＳＵのスケジューリング情報によって指定される。【００３５】
なお、ＳＵ送信部１２は、かかる複数のセグメントを繰り返し送信する際に、かかる複数のセグメントのサイズ（ＳＵのセグメンテーション方法）又はかかる複数のセグメントを送信（マッピング）するサブフレームを変更するように構成されていてもよい。【００３６】
変更通知部１３は、複数のセグメントを繰り返し送信する際に、かかる複数のセグメントのサイズ又はかかる複数のセグメントを送信するサブフレームを変更した場合、その旨を示す変更通知（ＢＣＣＨ  Ｃｈａｎｇｅ  Ｎｏｔｉｆｉｃａｔｉｏｎ）を、複数の移動局ＵＥ＃１乃至ＵＥ＃Ｎに対して送信するように構成されている。【００３７】
例えば、変更通知部１３は、図３（ａ）に示すように、複数の移動局ＵＥ＃１乃至ＵＥ＃Ｎ宛てのＰＣＨ（ページング信号）を送信するタイミング（サブフレーム、Ｐａｇｉｎｇ  Ｏｃｃａｓｉｏｎ）で、Ｐ-ＲＮＴＩ（Ｐａｇｉｎｇ-Ｒａｄｉｏ  Ｎｅｔｗｏｒｋ  Ｔｅｍｐｏｒａｒｙ  Ｉｄｅｎｔｉｔｙ、ページング信号用無線ネットワーク識別子）を含むＰＤＣＣＨ（制御チャネル）によって、ＰＣＨ（ページング信号）を通知するＰＤＳＣＨ（共有データチャネル）のスケジューリング情報を送信し、かかるスケジューリング情報によって特定される無線リソースブロック（無線リソース）で送信されるＰＤＳＣＨ（共有データチャネル）によって、かかるＰＣＨ（ページング信号）と共に、かかる変更通知を送信するように構成されていてもよい。【００３８】
また、変更通知部１３は、図３（ｂ）に示すように、複数の移動局ＵＥ＃１乃至ＵＥ＃Ｎ宛てのＰＣＨ（ページング信号）を送信するタイミングで、Ｐ-ＲＮＴＩ（ページング信号用無線ネットワーク識別子）を含む特別のフォーマットのＰＤＣＣＨ（制御チャネル）によって、ＰＣＨ（ページング信号）を通知するＰＤＳＣＨ（共有データチャネル）のスケジューリング情報と共に、かかる変更通知を送信するように構成されていてもよい。【００３９】
また、変更通知部１３は、図３（ｃ）に示すように、複数の移動局局ＵＥ＃１乃至ＵＥ＃Ｎ宛てのＰＣＨ（ページング信号）を送信するタイミングで、Ｐ-ＲＮＴＩ（ページング信号用無線ネットワーク識別子）とは異なるＢＣＣＨ-Ｃｈａｎｇｅ-ＲＮＴＩ（変更通知用無線ネットワーク識別子）を含むＰＤＣＣＨ（制御チャネル）によって、かかる変更通知を通知するＰＤＳＣＨ（共有データチャネル）のスケジューリング情報を送信し、かかるスケジューリング情報によって特定される無線リソースブロック（無線リソース）で送信されるＰＤＳＣＨ（共有データチャネル）によって、かかる変更通知を送信するように構成されていてもよい。【００４０】
さらに、変更通知部１３は、図３（ｄ）に示すように、複数の移動局ＵＥ＃１乃至ＵＥ＃Ｎ宛てのＰＣＨ（ページング信号）を送信するタイミングで、Ｐ-ＲＮＴＩ（ページング信号用無線ネットワーク識別子）とは異なるＢＣＣＨ-Ｃｈａｎｇｅ-ＲＮＴＩ（変更通知用無線ネットワーク識別子）を含むＰＤＣＣＨ（制御チャネル）によって、かかる変更通知を送信するように構成されていてもよい。【００４１】
また、変更通知部１３は、ＢＣＨ或いはＳＵ-１に含まれているＶａｌｕｅ  Ｔａｇを変更することによって、かかる変更通知を送信するように構成されていてもよい。【００４２】
なお、上述の変更通知は、ＢＣＣＨ（報知情報）の内容（情報要素）が変更された場合に送信される変更通知とは異なってもよい。【００４３】
図４に示すように、本実施形態に係る移動局ＵＥは、ＢＣＨ受信部３１と、ＳＵ受信部３２と、変更通知受信部３３とを具備している。【００４４】
ＢＣＨ受信部３１は、上述の図８に示すように、各無線フレームの先頭サブフレームにおいて、セル帯域幅における中央の６つの無線リソースブロックを用いて４回繰り返し送信されるＢＣＨを受信するように構成されている。【００４５】
変更通知受信部３３は、無線基地局ｅＮＢから、複数のセグメントを繰り返し送信する際に、かかる複数のセグメントのサイズ（他のＳＵのセグメンテーション方法）又はかかる複数のセグメントを送信（マッピング）するサブフレームを変更した旨を示す変更通知を受信するように構成されている。【００４６】
ＳＵ受信部３２は、上述の図８に示すように、各無線フレーム（例えば、８０ｍｓおきの無線フレーム）のサブフレーム＃５において送信されるＳＵ-１、及び、ＳＵ-１によって送信されたスケジューリング情報に基づく無線リソースブロックを用いて送信される他のＳＵを受信するように構成されている。【００４７】
ここで、ＳＵ受信部３２は、上述の図９に示すように、他のＳＵが、複数のセグメントに分割されている場合、所定のＷｉｎｄｏｗ内で送信される当該複数のセグメントを受信するように構成されている。【００４８】
すなわち、ＳＵ受信部３２は、所定のＷｉｎｄｏｗ内において送信される全てのＰＤＣＣＨを監視し、かかる複数のセグメントのいずれかが送信されていることが通知されたＰＤＳＣＨを受信するように構成されている。【００４９】
なお、ＳＵ受信部３２は、ＲＬＣ層のプロトコルとして「ＲＬＣ-ＵＭモード」が適用されている場合、図５（ａ）に示すように、ＭＡＣ層、ＲＬＣ層又はＲＲＣ層において、複数のセグメントの各々の受信失敗又は受信成功について判定するように構成されている。【００５０】
また、ＳＵ受信部３２は、ＲＬＣ層のプロトコルとして「ＲＬＣ-ＴＭモード」が適用されている場合、図５（ｂ）に示すように、ＭＡＣ層又はＲＲＣ層において、複数のセグメントの各々の受信失敗又は受信成功について判定するように構成されている。【００５１】
ここで、ＳＵ受信部３２は、複数のセグメントの受信に失敗した場合には、無線基地局ｅＮＢによって繰り返し送信されるＳＵを再度受信するように構成されている。【００５２】
なお、ＳＵ受信部３２は、変更通知受信部３３によって変更通知を受信していない場合には、複数のセグメントの一部だけの受信に失敗した場合に、かかる複数のセグメントの一部だけについて再度受信するように構成されている。【００５３】
このとき、ＭＡＣ層において、かかる複数のセグメントの一部だけをソフトコンバイニング受信するように構成されてもよい。【００５４】
すなわち、ＳＵ受信部３２は、変更通知受信部３３によって変更通知を受信していない場合には、無線基地局ｅＮＢが、複数のセグメントを繰り返し送信する際に、かかる複数のセグメントのサイズ（他のＳＵのセグメンテーション方法）又はかかる複数のセグメントを送信（マッピング）するサブフレームを変更していないと判断することができる。【００５５】
一方、ＳＵ受信部３２は、複数のセグメントの一部だけの受信に失敗した場合であっても、変更通知受信部３３によって変更通知を受信した場合には、かかる複数のセグメントの全てについて再度受信するように構成されている。【００５６】
（本発明の第１の実施形態に係る移動通信システムの動作）
図６及び図７を参照して、本発明の第１の実施形態に係る移動通信システムの動作について説明する。【００５７】
第１に、図６を参照して、本発明の第１の実施形態に係る無線基地局ｅＮＢの動作について説明する。【００５８】
図６に示すように、ステップＳ１０１において、無線基地局ｅＮＢは、他のＳＵ（例えば、ＳＵ-２）を複数のセグメントに分割し、ＳＵ-１に含まれるスケジューリング情報によって指定される無線リソースブロック（タイミング）で、かかる複数のセグメントを送信する。【００５９】
ステップＳ１０２において、無線基地局ｅＮＢは、上述の複数のセグメントを再送する際に、当該複数のセグメントのサイズ（当該他のＳＵのセグメンテーション方法）又は当該複数のセグメントがマッピングされるサブフレームを変更するか否かについて判断する。【００６０】
変更すると判断した場合、無線基地局ｅＮＢは、ステップＳ１０３において、複数の移動局ＵＥ＃１乃至＃Ｎに対して、その旨を通知する変更通知を送信し、ステップＳ１０４において、複数の移動局ＵＥ＃１乃至＃Ｎに対して、上述の変更を行った複数のセグメントを再送する。【００６１】
一方、変更しないと判断した場合、無線基地局ｅＮＢは、ステップＳ１０４において、複数の移動局ＵＥ＃１乃至＃Ｎに対して、上述の変更通知を送信することなく、上述の複数のセグメントを再送する。【００６２】
第２に、図７を参照して、本発明の第１の実施形態に係る移動局ＵＥの動作について説明する。【００６３】
図７に示すように、ステップＳ２０１において、移動局ＵＥは、ＳＵ-１に含まれるスケジューリング情報に基づいて、無線基地局ｅＮＢから送信された他のＳＵの受信を開始した際に、かかる他のＳＵを構成する全てのセグメントを受信したか否かについて判定する。【００６４】
全てのセグメントを受信したと判定された場合、本動作は、ステップＳ２０５に進み、セグメントの一部の受信に失敗したと判定された場合、本動作は、ステップＳ２０２に進む。【００６５】
ステップＳ２０２において、移動局ＵＥは、無線基地局ｅＮＢから、変更通知を受信したか否かについて判定する。【００６６】
かかる変更通知を受信していないと判定された場合、ステップＳ２０３において、移動局ＵＥは、ステップＳ２０１において受信に失敗したセグメントについて、当該セグメントの初送に用いられていたサブフレームにおいて、当該セグメントを受信する。【００６７】
一方、かかる変更通知を受信していると判定された場合、ステップＳ２０４において、移動局ＵＥは、ステップＳ２０１において受信に失敗したセグメントだけでなく、上述の他のＳＵを構成する全てのセグメントについて、ＳＵ-１に含まれるスケジューリング情報によって指定されているサブフレームにおいて、当該全てのセグメントを受信する。【００６８】
ステップＳ２０５において、移動局ＵＥは、ＲＲＣにおいて、受信した複数のセグメントから、上述の他のＳＵを復元する。【００６９】
（本発明の第１の実施形態に係る移動通信システムの作用・効果）
本実施形態に係る移動通信システムによれば、無線基地局ｅＮＢが、複数の移動局ＵＥ＃１乃至ＵＥ＃Ｎに対して複数のサブフレームを用いて複数のセグメントを繰り返し送信する場合で、移動局ＵＥが、複数のセグメントの一部だけの受信に失敗した場合に、効率的に、受信に失敗したセグメントのみを受信することができる。これにより、報知情報の取得に必要な時間を短縮することができる。【００７０】
また、移動局ＵＥが、効率的に受信失敗をリカバーできるため、無線基地局ｅＮＢにおいて、報知情報の送信電力を低減することや、符号化率を上げることができる。【００７１】
（変更例）
本変更例に係る移動通信システムでは、無線基地局ｅＮＢのＳＵ送信部１２は、報知情報である「ＢＣＣＨ」を、複数のセグメントである「ＳＩ（Ｓｙｓｔｅｍ  Ｉｎｆｏｒｍａｔｉｏｎ）」に分割して、複数の移動局ＵＥに対して、複数のサブフレームを用いて、かかる複数のセグメントを繰り返し送信するように構成されている。【００７２】
また、無線基地局ｅＮＢの変更通知部１３は、かかる複数のセグメントを繰り返し送信する際に、かかる複数のセグメントによって構成される報知情報の内容、かかる複数のセグメントのサイズ、又は、かかる複数のセグメントを送信するサブフレームを変更した場合、その旨を示す変更通知を、複数の移動局ＵＥに対して送信するように構成されている。【００７３】
ここで、複数のセグメントのサイズ又は複数のセグメントを送信するサブフレームが変更された際に送信される変更通知が、複数のセグメントによって構成される報知情報の内容が変更された場合に送信される変更通知とは異なっていてもよい。【００７４】
また、移動局ＵＥのＳＵ受信部３２は、上述の複数のセグメントの一部だけの受信に失敗した場合であっても、変更通知受信部３３によって変更通知を受信した場合には、上述の複数のセグメントの全てについて再度受信するように構成されている。【００７５】
具体的には、ＳＵ受信部３２は、移動局ＵＥの状態（例えば、Ｉｄｌｅ状態又はＣｏｎｎｅｃｔｅｄ状態）又は移動局ＵＥによってサポートされている能力（ＲＡＴ（Ｒａｄｉｏ  Ａｃｃｅｓｓ  Ｔｅｃｈｎｏｌｏｇｙ）等）に対応する報知情報（ＢＣＣＨ）を構成する複数のセグメント（ＳＩ）について、かかる複数のセグメントの一部だけの受信に失敗した場合であっても、変更通知受信部３３によって変更通知を受信した場合に、全て再度受信するように構成されている。【００７６】
なお、上述の移動局ＵＥ及び無線基地局ＮｏｄｅＢの動作は、ハードウェアによって実施されてもよいし、プロセッサによって実行されるソフトウェアモジュールによって実施されてもよいし、両者の組み合わせによって実施されてもよい。【００７７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。【００７８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ｅＮＢ内に設けられていてもよい。また、かかる記憶媒体及びプロセッサは、ディスクリートコンポーネントとして移動局ＵＥ及び無線基地局ｅＮＢ内に設けられていてもよい。【００７９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。  なお、日本国特許出願第２００７-２４１６５２号（２００７年９月１８日出願）の全内容が、参照により、本願明細書に組み込まれている。
【産業上の利用可能性】
【００８０】
以上説明したように、本発明によれば、無線基地局が、複数の移動局に対して複数のサブフレームを用いて複数のセグメントを繰り返し送信する場合で、移動局が、複数のセグメントの一部だけの受信に失敗した場合に、効率的に、受信に失敗したセグメントのみを受信することができる報知情報送信方法、無線基地局及び移動局を提供することができる。
【図１】
2009038129.tif 000003
【図２】
2009038129.tif 000004
【図３】
2009038129.tif 000005
【図４】
2009038129.tif 000006
【図５】
2009038129.tif 000007
【図６】
2009038129.tif 000008
【図７】
2009038129.tif 000009
【図８】
2009038129.tif 000010
【図９】
2009038129.tif 000011
【国際調査報告】
2009038129.tif 000012
2009038129.tif 000013